(57)【特許請求の範囲】
【請求項１】
左右に隣り合う扉体（６，７）の端枠（１９，２０）同士を、該端枠（１９，２０）の上下方向の略全長にわたる前後一対の連結カバー（５８）により連結した門扉の扉体連結装置において、前後の組み合わせにより前記両端枠（１９，２０）に跨がって略全周を覆う二つ割り状の前記両連結カバー（５８）の内、その一方の前記連結カバー（５８）は一方の前記端枠（１９，２０）が前後方向から嵌合し固定された固定部（６６）と、他方の前記端枠（１９，２０）が前後方向から嵌合し収容される収容部（６７）とを有し、他方の前記連結カバー（５８）は前記他方の端枠（１９，２０）が前後方向から嵌合し固定された固定部（６６）と、前記一方の端枠（１９，２０）が前後方向から収容される収容部（６７）とを有し、前記両連結カバー（５８）を前記両端枠（１９，２０）間で前記両連結カバー（５８）間に配置された上下方向に複数の連結部材（５９）に固定具（６０）により固定したことを特徴とする門扉の扉体連結装置。
【請求項２】
前記両連結カバー（５８）は前記両端枠（１９，２０）を前後方向の外側から覆うカバー部（６２）と、該各カバー部（６２）の左右両端から前記各端枠（１９，２０）の左右方向の外側を経て相手側へと屈曲する屈曲部（６３，６４）と、一方の前記屈曲部（６３，６４）との間に前記端枠（１９，２０）が嵌合する間隔をおいて前記カバー部（６２）の中間部から相手側へと突出し且つ反対側の前記端枠（１９，２０）に固定された突出部（６５）とを一体に備えたことを特徴とする請求項１に記載の門扉の扉体連結装置。
【請求項３】
前記両連結カバー（５８）は左右方向の反対側の一方の前記屈曲部（６３）に外重なり部（６３ａ）を、他方の前記屈曲部（６４）に相手側の前記連結カバー（５８）の前記外重なり部（６３ａ）の内側に重なる内重なり部（６４ａ）を夫々備え、対応する前記屈曲部（６３，６４）の少なくとも一方に、相手側の先端が前後方向に当接する当接部（６３ｂ，６４ｂ）を備えたことを特徴とする請求項２に記載の門扉の扉体連結装置。
【請求項４】
前記隣り合う扉体の一方は伸縮式の親扉体（６）であり、他方の扉体は前記親扉体（６）よりも短い伸縮式の子扉体（７）であることを特徴とする請求項１〜３の何れかに記載の門扉の扉体連結装置。
【請求項５】
前記連結カバー（５８）の外側に装着される外部装置の支持ブラケット（７２）と前記連結部材（５９）とをネジ（６０）により共締めしたことを特徴とする請求項１〜４の何れかに記載の門扉の扉体連結装置。
【請求項６】
前記各連結カバー（５８）の上下両端部を覆う端部カバー（６１）を設け、該各端部カバー（６１）を前記突出部（６５）に固定したことを特徴とする請求項２に記載の門扉の扉体連結装置。
【発明の詳細な説明】
【技術分野】
【０００１】
本発明は、伸縮門扉その他における門扉の扉体連結装置に関するものである。
【背景技術】
【０００２】
例えば伸縮門扉には、伸縮方向に長い親扉体と短い子扉体とを連結装置により伸縮方向に連結し、吊り元支柱と戸当たり支柱間の出入口を二段階に開閉するようにした片開き親子式のものがある。この片開き親子式は、通常の人の出入りのときには子扉体のみを開閉し、自動車等の出入りのときには親扉体と子扉体との両方を開閉する。
【０００３】
従来の連結装置は、端枠の上下方向の略全長にわたる前後一対の連結カバーを両扉体の各端枠に跨がって設け、この各連結カバーの内側に、各扉体の縦溝に上下方向に挿入される係合片を両端枠間の間隔に対応して一体に形成し、各連結カバーの幅方向の両端部を上下方向に複数のネジにより各端枠に固定している（特許文献１）。
【特許文献１】特開２００１−２０７７５８号公報
【発明の開示】
【発明が解決しようとする課題】
【０００４】
従来の連結装置では、両扉体の連結に際して両扉体の端枠を所定の間隔で略平行に保ちながら、端枠の上端側から縦溝に沿って連結カバーの係合片を挿入するようにしている。このため端枠、連結カバーが上下方向に長い場合には、係合片を挿入する際の連結カバーの取り扱いが非常に煩雑であり、しかも挿入の途中で両端枠の平行度が崩れたときには挿入不能になるか、連結カバー側が変形する等の惧れがある。
【０００５】
また両端枠間では前後両側の連結カバーを前後方向に連結するようにはなっていない。このため連結カバーの中央部分に過大な外力が加われば、その部分で連結カバーが屈曲する等の惧れがある。更に連結カバーの幅方向の両端縁が端枠の幅方向の中間にあり、連結カバーで端枠の全体を覆う構造になっていないので、見栄えも悪く意匠性に欠けるという問題がある。
【０００６】
本発明は、このような従来の問題点に鑑み、隣り合う扉体の端枠を簡単な作業で容易且つ確実に連結できると共に、強度の確保が容易であり、しかも見栄が良く意匠性を良好にできる門扉の扉体連結装置を提供することを目的とする。
【課題を解決するための手段】
【０００７】
本発明は、左右に隣り合う扉体６，７の端枠１９，２０同士を、該端枠１９，２０の上下方向の略全長にわたる前後一対の連結カバー５８により連結した門扉の扉体連結装置において、前後の組み合わせにより前記両端枠１９，２０に跨がって略全周を覆う二つ割り状の前記両連結カバー５８の内、その一方の前記連結カバー５８は一方の前記端枠１９，２０が前後方向から嵌合し固定された固定部６６と、他方の前記端枠１９，２０が前後方向から嵌合し収容される収容部６７とを有し、他方の前記連結カバー５８は前記他方の端枠１９，２０が前後方向から嵌合し固定された固定部６６と、前記一方の端枠１９，２０が前後方向から収容される収容部６７とを有し、前記両連結カバー５８を前記両端枠１９，２０間で前記両連結カバー５８間に配置された上下方向に複数の連結部材５９に固定具６０により固定したものである。
【０００８】
前記両連結カバー５８は前記両端枠１９，２０を前後方向の外側から覆うカバー部６２と、該各カバー部６２の左右両端から前記各端枠１９，２０の左右方向の外側を経て相手側へと屈曲する屈曲部６３，６４と、一方の前記屈曲部６３，６４との間に前記端枠１９，２０が嵌合する間隔をおいて前記カバー部６２の中間部から相手側へと突出し且つ反対側の前記端枠１９，２０に固定された突出部６５とを一体に備えてもよい。
【０００９】
前記両連結カバー５８は左右方向の反対側の一方の前記屈曲部６３に外重なり部６３ａを、他方の前記屈曲部６４に相手側の前記連結カバー５８の前記外重なり部６３ａの内側に重なる内重なり部６４ａを夫々備え、対応する前記屈曲部６３，６４の少なくとも一方に、相手側の先端が前後方向に当接する当接部６３ｂ，６４ｂを備えてもよい。
【００１０】
前記隣り合う扉体の一方は伸縮式の親扉体６であり、他方の扉体は前記親扉体６よりも短い伸縮式の子扉体７であることもある。前記連結カバー５８の外側に装着される外部装置の支持ブラケット７２と前記連結部材５９とをネジ６０により共締めしてもよい。前記各連結カバー５８の上下両端部を覆う端部カバー６１を設け、該各端部カバー６１を前記突出部６５に固定してもよい。
【発明の効果】
【００１１】
本発明では、前後の組み合わせにより前記両端枠１９，２０に跨がって略全周を覆う二つ割り状の両連結カバー５８の内、その一方の連結カバー５８は一方の端枠１９，２０が前後方向から嵌合し固定された固定部６６と、他方の端枠１９，２０が前後方向から嵌合し収容される収容部６７とを有し、他方の連結カバー５８は他方の端枠１９，２０が前後方向から嵌合し固定された固定部６６と、一方の端枠１９，２０が前後方向から収容される収容部６７とを有し、両連結カバー５８を両端枠１９，２０間で両連結カバー５８間に配置された上下方向に複数の連結部材５９に固定具６０により固定しているので、隣り合う扉体５，６の端枠１９，２０を簡単な作業で容易且つ確実に連結できると共に、強度の確保が容易であり、しかも見栄が良く意匠性を良好にできる利点がある。
【発明を実施するための最良の形態】
【００１２】
以下、本発明の実施例を図面に基づいて詳述する。図１〜図１０は水平パンタグラフ型の片開き親子式の伸縮門扉に採用した本発明の第１の実施例を例示する。
【００１３】
この伸縮門扉は、図１（Ａ）（Ｂ）に示すように、出入口１の左右両側で地面２上に立設された吊り元支柱３及び戸当たり支柱４と、吊り元支柱３及び戸当たり支柱４間に左右方向に隣接して配置され且つ連結装置５により連結された親扉体６及び子扉体７と、親扉体６の中間部側、連結装置５側、及び子扉体７の戸当たり側に夫々設けられた落とし棒装置８〜１０とを備え、親扉体６、子扉体７の左右方向への伸縮動作により出入口１を二段階に開閉可能である。
【００１４】
戸当たり支柱４には、上下一対の連結腕１１を介して施錠受け枠１２が固定されている。親扉体６、子扉体７は共に伸縮式であって、伸縮方向（左右方向）に長い親扉体６は吊り元側に配置され、親扉体６よりも短い子扉体７は戸当たり側に配置されている。
【００１５】
親扉体６、子扉体７は、左右方向に伸縮自在に構成された上下一対の水平式のパンタグラフ機構１３，１４と、この両パンタグラフ機構１３，１４の中間部分を上下に連結する左右方向に複数本の縦桟１５，１６、１７，１８と、両パンタグラフ機構１３，１４の両端部間を上下に連結する端枠１９，２０（図２参照）とを備えている。
【００１６】
なお、親扉体６は吊り元側の端枠１９が上下方向のヒンジ２１、連結腕２２を介して吊り元支柱３に回動自在に連結され、両扉体６，７の収縮状態でヒンジ２１廻りに回転収納可能である。
【００１７】
子扉体７の戸当たり側の端枠２０には開閉操作用の把手２３等を有する施錠掛け枠２４が装着され、その施錠掛け枠２４が施錠受け枠１２に当接して施錠されるようになっている。更に各扉体６，７には、落とし棒装置８〜１０よりも吊り元側で且つ落とし棒装置８〜１０の近傍の縦桟１７，１８の下端に、地面２上を走行する走行車輪２５〜２７が設けられている。
【００１８】
パンタグラフ機構１３，１４は、図２（Ａ）（Ｂ）に示すように、平面視Ｘ字状に交差して配置された左右方向に複数組の一対の中間リンク部材２８，２９と、両端に平面視八の字状に配置された一対の端部リンク部材３０，３１とを有し、円筒状の縦桟１５，１６、１７，１８、枢軸３２，３３を介して縦軸心廻りに水平方向に屈伸しながら左右方向に伸縮自在である。
【００１９】
一対の中間リンク部材２８，２９はその略中央の交差部で縦桟１５，１６により相対回動自在に連結され、左右方向に隣り合う各組の中間リンク部材２８，２９はその先端部で縦桟１７，１８により相対回動自在に連結されている。
【００２０】
一対の端部リンク部材３０，３１は、内端側が対応する端部側の中間リンク部材２８，２９の先端部に縦桟１７，１８により相対回動自在に連結され、また外端側が前後に近接して配置された端枠１９，２０の上下両端の枢軸３２，３３に相対回動自在に套嵌されて連結されている。
【００２１】
端枠１９，２０は一対のパンタグラフ機構１３，１４の伸縮方向の端部間を上下に連結するもので、図３〜図６に示すように左右幅に比べて前後方向に長く、内部に前後一対の軸保持部３４，３５を有する中空状に形成されると共に、その左右一側の側壁３７，３８には前後方向の両端に突部３９，４０が、前後方向の中間に前後一対の突部４１，４２が夫々上下方向の全長に形成され、その一対の突部４１，４２の中間部間が連絡壁４３，４４により前後に連絡されている。
【００２２】
各枢軸３２，３３は端枠１９，２０の軸保持部３４，３５の両端部に上下両側から挿入され、その挿入部分がリベット５５，５６により側壁３７，３８側で端枠１９，２０に固定されている。端部リンク部材３０，３１の端部側の上下両側には、一対の枢軸３２，３３を前後に連結する連結板４５，４６が設けられ、この連結板４５，４６により前後一対の枢軸３２，３３が前後方向に連結されている。なお、リベット５５，５６に代えてネジ等を使用してもよい。
【００２３】
落とし棒装置８〜１０は、図１（Ｂ）に示すように落とし棒４７〜４９を有する。落とし棒装置８，９は親扉体６が伸長状態のときに、落とし棒４７，４８を地面２側の落とし孔５０，５１に落とし込んでロックするためのものであり、また落とし棒装置１０は両扉体６，７が共に伸長状態のときに地面２の落とし孔５２に、親扉体６が伸長状態で子扉体７が収縮状態のときに落とし孔５３に、両扉体６，７が共に収縮状態のときに落とし孔５４に夫々落とし棒４９を落とし込んでロックするためのものである。
【００２４】
なお、落とし棒装置８の落とし棒４７は中央の縦桟１５内に上下動自在に挿入されており、縦桟１５に上下動自在に套嵌された操作筒体４７ａにより上下に操作するようになっている。また落とし棒装置１０の落とし棒４９は施錠掛け枠２４内に上下動自在に挿入されており、施錠掛け枠２４から前後両側に突出する操作摘まみ４９ａにより上下に操作するようになっている。落とし棒装置９は後述のように連結装置５の前後両側に装着されている。
【００２５】
連結装置５は図３〜図８に示すように構成されている。即ち、親扉体６と子扉体７との相対向する端枠１９，２０は、その側壁３７，３８側を対向させた状態で、伸縮方向に僅かの間隔を置いて配置されている。この両端枠１９，２０を連結する連結装置５は、両端枠１９，２０の上下方向の略全長にわたる長さを有し且つ両端枠１９，２０に跨がって少なくともその略半周を覆う半割り状の前後一対の連結カバー５８と、両端枠１９，２０間で前後の両連結カバー５８間に介在された上下方向に複数の連結部材５９と、この各連結部材５９に前後両側から各連結カバー５８を固定する上下方向に複数の固定具、例えばネジ６０と、各連結カバー５８の上下両端に装着された合成樹脂性の端部カバー６１とを備えている。
【００２６】
両連結カバー５８は両者間の中央廻りに略点対称形であって、両端枠１９，２０を前後方向から覆うカバー部６２と、このカバー部６２の幅方向の両端から各端枠１９，２０の左右方向の外側を経て相手側へと屈曲する一対の屈曲部６３，６４と、左右方向の反対側の一方の屈曲部６３から他方の屈曲部６４側へと端枠１９，２０の左右幅分の間隔をおいた位置でカバー部６２から相手側へと突出する突出部６５とが上下方向の全長に形成されている。
【００２７】
そして、両連結カバー５８の内部には、左右方向の反対側の一方の屈曲部６３と突出部６５との間が、一方の端枠１９，２０が後方向から嵌合し固定される固定部６６となり、他方の屈曲部６４と突出部６５との間が、他方の端枠１９，２０が前後方向から嵌合し収容される収容部６７となっている。従って、両連結カバー５８相互では、固定部６６と収容部６７とが前後に対向して設けられている。
【００２８】
両連結カバー５８の両屈曲部６３，６４の内、左右方向の反対側の一方の屈曲部６３に外重なり部６３ａが、他方の屈曲部６４に相手側の外重なり部６３ａの内側に重なる内重なり部６４ａが夫々設けられ、また各屈曲部６３，６４の互いに重なる両重なり部６３ａ，６４ａの基部側に、相手側の先端が前後方向に当接する当接部６３ｂ，６４ｂが設けられている。
【００２９】
固定部６６内の端枠１９，２０は側壁３７，３８の一端側の突部３９，４０、中央側の突部４１，４２が突出部６５に当接され、上下方向の両端部で上下２本のネジ６８により突出部６５に夫々固定されている。ネジ６８は突出部６５、連絡壁４３，４４を貫通してその内側の裏板６９に螺合し締結されている。裏板６９は上下方向の中央でリベット７０により連絡壁４３，４４に固定されている。
【００３０】
連結部材５９はＵ字状であり、その前後両端の取り付け部５９ａが各連結カバー５８のカバー部６２に当接し、外側の落とし棒装置９の支持ブラケット７２と共に上下２本のネジ６０により固定されている。
【００３１】
各端部カバー６１は連結カバー５８に対応して前後に半割り状であり、連結カバー５８のカバー部６２及び屈曲部６３，６４の端面及び外周に対応する周縁部６１ａと、この周縁部６１ａから突出して両端枠１９，２０間を上側から覆う平板部６１ｂと、この平板部６１ｂからカバー部６２内に突出して内接する内接部６１ｃと、この内接部６１ｃから略直角に突出する取り付け部６１ｄとを一体に備え、その取り付け部６１ｄが端枠１９，２０と反対側で突出部６５に当接してネジ６８により連結カバー５８に固定されている。
【００３２】
落とし棒装置９は、図６、図７に示すように連結装置５の前後両側に配置されており、連結カバー５８のカバー部６２の外側に配置された上下一対の支持ブラケット７２と、この支持ブラケット７２により上下動自在に支持された落とし棒４８とを備え、落とし棒４８の上端に操作摘まみ７３が設けられている。
【００３３】
支持ブラケット７２は取り付け部７２ａの上下に案内部７２ｂを備えたコ字状であって、その取り付け部７２ａが連結カバー５８のカバー部６２を挟んでネジ６０により連結部材５９の取り付け部５９ａに共締めされている。支持ブラケット７２は連結カバー５８のカバー部６２側が開口する箱型の案内カバー７４により覆われており、落とし棒４８と連結カバー５８との間で上側からネジ８２により案内カバー７４の案内部７２ｂに固定されている。
【００３４】
落とし棒４８には上昇位置に係止するための係合突起７６が設けられている。支持ブラケット７２、案内カバー７４には、落とし棒４８が上下摺動自在に挿通された案内孔７７が設けられ、また上側の支持ブラケット７２、案内カバー７４には、係合突起７６が通過するための通過部７８が案内孔７７に連通して形成されている。
【００３５】
上側の案内カバー７４の上面には、落とし孔５１から上方に離脱する上昇位置で落とし棒４８の係合突起７６が上側から係合する係合凹部７９が形成されている。なお、落とし棒４８には、上側の支持ブラケット７２の下側に抜け止め突起８０が設けられている。係合突起７６、抜け止め突起８０はネジにより構成されている。
【００３６】
上記構成の伸縮門扉において、出入口１を閉じる場合には、親扉体６、子扉体７を伸ばして施錠掛け枠２４を施錠受け枠１２に当接して施錠する。このとき子扉体７の上下のパンタグラフ機構１３，１４では、その前後一対の端部リンク部材３０，３１の先端部を端枠１９，２０側の前後の枢軸３２，３３に連結し、その端枠１９，２０に施錠掛け枠２４を固定しているため、施錠掛け枠２４をパンタグラフ機構１３，１４に対して所定の角度に保持できる。従って、施錠掛け枠２４を施錠受け枠１２に合わせて行けば、両者を容易且つ確実に当接させることができる。
【００３７】
閉状態では各落とし棒装置８〜１０の落とし棒４７〜４９を地面２側の落とし孔５０〜５２に落とし込んで親扉体６、子扉体７を地面２側にロックする。これによって風圧等による各扉体６，７の前後方向の揺れ等を極力防止できる。
【００３８】
通常の人の出入りに際しては、親扉体６を各落とし棒装置８，９で地面２側にロックしておき、子扉体７のみを伸縮させる。そして、例えば子扉体７を収縮させた後、落とし棒装置１０の落とし棒４９を落とし孔５３に落とし込んで地面２にロックする。また自動車が出入りする場合には、子扉体７、親扉体６の両方を伸縮させる。
【００３９】
親扉体６と子扉体７との端枠１９，２０同士を連結装置５により連結する場合には、例えば図９に示すように親扉体６の端枠１９を前側の連結カバー５８の屈曲部６３と突出部６５との間の固定部６６に後方から嵌合する。そして、例えば図４の上下２本のネジ６８の内、その下側のネジ６８を締め付けて連結カバー５８と端枠１９とを固定する。
【００４０】
次に連結カバー５８の上下両端に端部カバー６１を嵌めて、その取り付け部６１ｄを突出部６５に当接して、図４の上側のネジ６８を締め付けて突出部６５、側壁３８を介して連結カバー５８及び端枠１９に固定する。
【００４１】
同様にして図９に示すように子扉体７の端枠２０を前側の連結カバー５８の屈曲部６３と突出部６５との間の固定部６６に前方から嵌合する。そして、一方のネジ６８により連結カバー５８と端枠２０とを固定し、また連結カバー５８の上下両端に端部カバー６１を嵌めて、その取り付け部６１ｄを突出部６５に当接して他方のネジ６８により突出部６５、側壁３７を介して連結カバー５８及び端枠２０に固定する。
【００４２】
また前後の連結カバー５８の内、その一方の連結カバー５８に一方の支持ブラケット７２と連結部材５９とをネジ６０で固定しておく。なお、これは連結カバー５８の固定部６６に端枠１９，２０を嵌合する前にしてもよい。
【００４３】
その後、前側の連結カバー５８の収容部６７に親扉体６の端枠１９を後方から、後側の連結カバー５８の収容部６７に子扉体７の端枠２０を前方から夫々嵌合させながら、図１０に示すように両連結カバー５８の各屈曲部６３，６４の外重なり部６３ａと内重なり部６４ａとを内外方向に重ね合わせる。
【００４４】
次いで他方の連結カバー５８、支持ブラケット７２をネジ６０で固定する。これによって各重なり部６３ａ，６４ａの先端が当接部６３ｂ，６４ｂに当接した状態で、前後の連結カバー５８を両端枠１９，２０間で連結部材５９、ネジ６０を介して前後方向に連結できる。
【００４５】
落とし棒装置９側では、各支持ブラケット７２に案内カバー７４を被せてネジ８２により固定する。そして、支持ブラケット７２等の案内孔７７に上側から落とし棒４８を挿入し、上側の支持ブラケット７２の下側で落とし棒４８に抜け止め突起８０を付ける。
【００４６】
このような構成の連結装置５では、一方の連結カバー５８の固定部６６に一方の端枠１９，２０を、他方の連結カバー５８の固定部６６に他方の端枠１９，２０を夫々前後方向から嵌合してネジ６８により固定しておき、その後、一方の連結カバー５８の収容部６７に他方の端枠１９，２０を、他方の連結カバー５８の収容部６７に一方の端枠１９，２０を夫々前後方向に嵌合させた後、両連結カバー５８を連結部材５９等を介して前後に連結すればよい。
【００４７】
従って、従来のように連結カバー５８を上方から挿入して取り付ける場合に比較して、各連結カバー５８の取り扱いを含む一連の組み立て作業が非常に容易であり、隣り合う親扉体６、子扉体７の端枠１９，２０同士を簡単な作業で容易且つ確実に連結できる。
【００４８】
また両連結カバー５８は両端枠１９，２０に跨がってその略半周を覆う半割り状であるため、連結カバー５８の裏側の端枠１９，２０等が外部に露出することがなく、全体が連結カバー５８の外表面の形状によって決まる１本の柱状となる等、連結装置５を含む全体の意匠性が著しく向上する利点がある。更に前後の連結カバー５８を両端枠１９，２０間に配置された上下方向に複数の連結部材５９及びネジ６０を介して前後に連結するため、一方の連結カバー５８に外力が作用した場合の損傷等も少なくでき、強度の確保も容易にできる。
【００４９】
両連結カバー５８は両端枠１９，２０を前後方向から覆うカバー部６２と、カバー部６２の左右両端側から相手側へと屈曲する屈曲部６３，６４と、カバー部６２の中間から相手側へと突出する突出部６５とを備えた構造であるため、連結カバー５８自体も構造的に簡単である。
【００５０】
また両側の屈曲部６３，６４の内、一方の屈曲部６３に外重なり部６３ａを、他方の屈曲部６４に相手側の外重なり部６３ａの外側に重なる内重なり部６４ａを夫々備え、対応する屈曲部６３，６４の少なくとも一方に、相手側の先端が前後方向に当接する当接部６３ｂ，６４ｂを備えているため、両連結カバー５８の屈曲部６３，６４側での隙間の発生、重なり過ぎ等を容易に防止できる。
【００５１】
また連結部材５９、ネジ６０は前後の連結カバー５８を連結するだけでなく、落とし棒装置９の支持ブラケット７２を連結カバー５８に固定するための固定用としても兼用しているため、別々に設ける場合に比較して構造的に簡単にできる利点がある。
【００５２】
しかも、支持ブラケット７２は連結カバー５８側が開口した箱状の案内カバー７４で覆っているため、前後の連結カバー５８の外側に露出する前後方向のネジ等がなく、連結装置５部分の見栄えも良好にできる。
【００５３】
図１１は本発明の第２の実施例を例示する。なお、図１１では連結カバー５８のみを示すが、他の構成は第１の実施例と略同様である。図１１（Ａ）の両連結カバー５８は両者間の中心廻りに略点対称であって、カバー部６２の両側の屈曲部６３，６４の内、その一方の屈曲部６３側は短く、他方の屈曲部６４側は長く構成され、その各屈曲部６３，６４の先端側に外重なり部６３ａ、内重なり部６４ａ、当接部６３ｂ，６４ｂが設けられている。
【００５４】
図１１（Ｂ）の両連結カバー５８は、一方（例えば前側）の連結カバー５８の屈曲部６３，６４が長く、他方（例えば後側）の連結カバー５８の屈曲部６３，６４が短くなっている。なお、この場合には、二つ割り状の前後一対の連結カバー５８で両端枠１９，２０の全周を覆うようになっている。
【００５５】
このように両連結カバー５８の両側に一対の屈曲部６３，６４の長さを変えてもよいし、前後の連結カバー５８でその屈曲部６３，６４の長さを変えたものでもよい。両連結カバー５８は両端枠１９，２０の全周を覆うものであれば、前後一対の半割り状でもよいし、二つ割り状でもよい。
【００５６】
図１２は本発明の第３の実施例を例示する。図１２の連結部材５９は円筒体により構成され、上下に２本設けられている。そして、各連結部材５９の両端に支持ブラケット７２、連結カバー５８に挿通されたネジ６０が螺合されている。
【００５７】
図１３の連結部材５９は、上下にネジ螺合部５９ｃが形成された各筒体により構成され、その上下のネジ螺合部５９ｃの両端に支持ブラケット７２、連結カバー５８に挿通されたネジ６０が螺合されている。
【００５８】
このように連結部材５９は前後の連結カバー５８間に介在され、両側からネジ６０を螺合できるものであれば十分である。
【００５９】
以上、本発明の各実施例について詳述したが、この各実施例に限定されるものではなく、本発明の趣旨を逸脱しない範囲で種々の変更が可能である。例えば、実施例では、水平パンタグラフ式のレール走行型の伸縮門扉において、その親扉体６と子扉体７との端枠１９，２０同士を連結する連結装置５について例示しているが、斜架材を組み合わせた垂直パンタグラフ式の伸縮門扉、レール走行型以外の伸縮門扉においても同様に実施可能である。
【００６０】
また隣り合う扉体は、同じ程度の長さのものでもよい。従って、必ずしも親扉体６と子扉体７である必要はない。扉体は対向端側に端枠１９，２０を備えたものであれば、伸縮式以外のもの、例えば引き戸式の扉体同士を連結する場合にも同様に実施することが可能である。連結部材５９に前後の連結カバー５８を固定する固定具はネジ６０が一般的であるが、ネジ６０以外のリベット等を使用してもよいし、一方をリベットとし、他方をネジとしてもよい。
【００６１】
端枠１９，２０の形状、連結カバー５８の固定部６６、収容部６８の形状は、固定部６６、収容部６８に対して端枠１９，２０を前後方向から嵌合できるものであればよい。また連結カバー５８の外側に装着する外部装置は落とし棒装置９が一般的であるが、開閉操作用の把手等でもよい。
【００６２】
端枠１９，２０の上下両端部、又は上下方向の一部に他の部材が突出している場合には、必要に応じてその部材と干渉しないように連結カバー５８に切り欠き部等を設けてもよいし、その部材を除いて端枠１９，２０の上下方向の略全長に連結カバー５８を設けてもよい。
【００６３】
連結カバー５８は両屈曲部６３，６４の先端同士を突き合わせた構造でもよいし、一方の屈曲部６３，６４の先端に上下方向の縦溝を形成し、他方の屈曲部６３，６４の先端縁がその縦溝に嵌合するようにしてもよい。また実施例では外重なり部６３ａ、内重なり部６４ａの両方に当接部６３ｂ，６４ｂを設けているが、その当接部６３ｂ，６４ｂは一方のみでもよい。
【図面の簡単な説明】
【００６４】
【図１】本発明の第１の実施例を示し、（Ａ）は伸縮門扉の平面図、（Ｂ）はその正面図である。
【図２】（Ａ）は両扉体の連結部側の拡大平面図、（Ｂ）はその正面図である。
【図３】端枠及び連結装置の分解斜視図である。
【図４】連結装置の上部側の破断正面図である。
【図５】連結装置の上部側の平面断面図である。
【図６】連結装置及び落とし棒装置の平面断面図である。
【図７】連結装置及び落とし棒装置の側面断面図である。
【図８】連結装置の分解断面図である。
【図９】連結方法を示す平面断面図である。
【図１０】連結カバーの結合状態の平面断面図である。
【図１１】本発明の第２の実施例を示す連結カバーの平面断面図である。
【図１２】本発明の第３の実施例を示し、（Ａ）は連結装置の側面断面図、（Ｂ）はその正面断面図である。
【図１３】本発明の第４の実施例を示し、（Ａ）は連結装置の側面断面図、（Ｂ）はその正面断面図である。
【符号の説明】
【００６５】
６  親扉体
７  子扉体
１９，２０  端枠
５８  連結カバー
５９  連結部材
６０  ネジ（固定具）
６１  端部カバー
６２  カバー部
６３，６４  屈曲部
６３ａ外重なり部
６４ａ  内重なり部
６３ｂ，６４ｂ  当接部
６５  突出部
６６  固定部
６７  収容部
７２  支持ブラケット
【図１】
0004986821.tif 000002
【図２】
0004986821.tif 000003
【図３】
0004986821.tif 000004
【図４】
0004986821.tif 000005
【図５】
0004986821.tif 000006
【図６】
0004986821.tif 000007
【図７】
0004986821.tif 000008
【図８】
0004986821.tif 000009
【図９】
0004986821.tif 000010
【図１０】
0004986821.tif 000011
【図１１】
0004986821.tif 000012
【図１２】
0004986821.tif 000013
【図１３】
0004986821.tif 000014